(57)【特許請求の範囲】
【請求項１】
所定の商品に関する複数の情報から成る商品情報と、前記商品が映っている放送画像を放送した放送局及び放送した放送時間を示す放送特定情報とが対応付けられているサーバーと通信回線を介して接続されている商品紹介装置であって、
放送受信機が受信した放送画像と、この放送画像を放送した放送局及び放送した放送時間を示す放送情報とを関連付けて記憶する記憶部と、
前記サーバーに検索画面送信要求を送信し、前記検索画面送信要求に応答して前記サーバーから送信された検索画面を用いてユーザが入力した商品情報を前記サーバーに送信し、前記送信した商品情報に対応付けられている放送特定情報と、前記送信した商品情報に対応付けられている、前記送信した商品情報以外の商品情報とを前記サーバーから受信する送受信手段と、
前記受信した放送特定情報に合致する放送情報に関連付けられた放送画像を前記記憶部から読み出す読出手段と、
前記読み出された放送画像と、前記受信した商品情報とを表示させる表示制御手段と
を有することを特徴とする商品紹介装置。
【請求項２】
前記受信した放送特定情報に基づいて、録画予約を行う録画予約手段を更に有することを特徴とする請求項１に記載の商品紹介装置。
【請求項３】
サーバーと画像記憶・検索装置とが通信回線を介して接続されている商品紹介システムであって、
所定の商品に関する情報が複数示されている商品情報と、その商品が映っている放送画像を放送した放送局及び放送した放送時間を示す放送特定情報とが関連付けられて記憶されたデータベースと、
前記画像記憶・検索装置から送信される検索画面送信要求に応じて検索画面を送信し、前記検索画面を用いてユーザが入力した商品情報を受信し、前記受信した商品情報に対応付けられている、前記受信した商品情報以外の商品情報と、前記受信した商品情報に関連付けられている放送特定情報とを前記データベースから検索して送信する送受信手段と
を有するサーバーと、
放送受信装置が受信した放送画像と、この放送画像を放送した放送局及び放送した放送時間を示す放送情報とを関連付けて記憶する記憶部と、
前記検索画面送信要求を前記サーバーに送信し、この検索画面送信要求に応答して送信される検索画面を用いて前記ユーザが入力した商品情報を前記サーバーに送信し、前記送信した商品情報に対応付けられている、前記送信した商品情報以外の商品情報と、前記送信した商品情報に対応付けられている放送特定情報とを前記サーバーから受信する送受信手段と、
前記受信した放送特定情報に合致する放送情報に関連付けられた放送画像を前記記憶部から読み出す読出手段と、
前記読み出された放送画像と、前記受信した商品情報とを表示させる表示制御手段と
を有する画像記憶・検索装置と
を有することを特徴とする商品紹介システム。
【請求項４】
前記画像記憶・検索装置は、前記受信した放送特定データに基づいて、録画予約を行う録画予約手段を更に有することを特徴とする請求項３に記載の商品紹介システム。
【請求項５】
検索画面送信要求を送信し、この検索画面送信要求に応答して送信された検索画面を用いてユーザが入力した商品情報を送信し、前記送信した商品情報に対応付けられている放送特定情報と、前記送信した商品情報に対応付けられている、前記入力した商品情報以外の商品情報とを受信し、放送受信機が受信した放送画像と、この放送画像を放送した放送局及び放送した放送時間を示す放送情報とを関連付けて記憶した記憶部から放送画像を前記受信した放送特定情報に基づいて検索し、前記検索した放送画像と前記受信した商品情報とを表示する商品紹介装置と通信回線を介して接続しているサーバーであって、
所定の商品に関する複数の情報から成る商品情報と、その商品が映っている放送画像を放送した放送局及び放送した放送時間を示す放送特定情報とが関連付けられて記憶されたデータベースと、
前記商品紹介装置から送信される検索画面送信要求に応答して検索画面を送信し、前記検索画面を用いてユーザが入力した商品情報を受信し、この商品情報に関連付けられている放送特定情報と前記受信した商品情報に対応付けられている、前記受信した商品情報以外の商品情報とを前記データベースから検索して、検索した商品情報と放送特定情報とを前記通信回線を介して送信する送受信手段と
を有することを特徴とするサーバー。
【請求項６】
所定の商品に関する複数の情報から成る商品情報と、前記商品が映っている放送画像を放送した放送局及び放送した放送時間を示す放送特定情報とが対応付けられているサーバーと通信回線を介して接続されている商品紹介装置の商品紹介方法であって、
前記サーバーに検索画面送信要求を送信する第１の送信ステップと、
前記サーバーが前記検索画面送信要求に応答して送信した検索画面を受信する第１の受信ステップと、
前記受信した検索画面を用いてユーザが入力した商品情報を送信する第２の送信ステップと、
前記送信した商品情報に対応付けられている、前記送信した商品情報以外の商品情報と、前記送信した商品情報に対応付けられている放送特定情報とを前記サーバーから受信する第２の受信ステップと、
放送受信装置が受信した放送画像と、この放送画像を放送した放送局及び放送した放送時間を示す放送情報とを関連付けて記憶している記憶部の中から、前記受信した放送特定情報に合致する放送情報に関連付けられた放送画像を読み出す読出ステップと、
前記読み出された放送画像と、前記受信した商品情報とを表示させる表示ステップとを有することを特徴とする商品紹介方法。
【請求項７】
前記受信した放送特定情報に基づいて、録画予約を行う録画予約ステップを更に有することを特徴とする請求項６に記載の商品紹介方法。
【請求項８】
所定の商品に関する複数の情報から成る商品情報と、前記商品が映っている放送画像を放送した放送局及び放送した放送時間を示す放送特定情報とが対応付けられているサーバーと通信回線を介して接続されている商品紹介装置におけるプログラムであって、
前記プログラムは前記商品紹介装置を、
放送受信機が受信した放送画像と、この放送画像を放送した放送局及び放送した放送時間を示す放送情報とを関連付けて、記憶部に記憶する手段と、
前記サーバーに検索画面送信要求を送信し、前記検索画面送信要求に応答して前記サーバーから送信された検索画面を用いてユーザが入力した商品情報を前記サーバーに送信し、前記送信した商品情報に対応付けられている放送特定情報と、前記送信した商品情報に対応付けられている、前記送信した商品情報以外の商品情報とを前記サーバーから受信する送受信手段と、
前記受信した放送特定情報に合致する放送情報に関連付けられた放送画像を前記記憶部から読み出す読出手段と、
前記読み出された放送画像と、前記受信した商品情報とを表示させる表示手段と
して機能させることを特徴とするプログラム。
【請求項９】
検索画面送信要求を送信し、この検索画面送信要求に応答して送信された検索画面を用いてユーザが入力した商品情報を送信し、前記送信した商品情報に対応付けられている放送特定情報と、前記送信した商品情報に対応付けられている、前記入力した商品情報以外の商品情報とを受信し、放送受信機が受信した放送画像と、この放送画像を放送した放送局及び放送した放送時間を示す放送情報とを関連付けて記憶した記憶部から放送画像を前記受信した放送特定情報に基づいて検索し、前記検索した放送画像と前記受信した商品情報とを表示する商品紹介装置と通信回線を介して接続しているサーバーのプログラムであって、
前記プログラムは前記サーバーを、
前記商品紹介装置から送信される検索画面送信要求に応答して検索画面を送信し、前記検索画面を用いてユーザが入力した商品情報を受信し、この商品情報に関連付けられている放送特定情報と前記受信した商品情報に対応付けられている、前記受信した商品情報以外の商品情報とを、所定の商品に関する複数の情報から成る商品情報と、その商品が映っている放送画像を放送した放送局及び放送した放送時間を示す放送特定情報とが関連付けられて記憶されたデータベースから検索して、検索した商品情報と放送特定情報とを前記通信回線を介して送信する送受信手段と
して機能させることを特徴とするプログラム。
【請求項１０】
請求項８又は請求項９に記載のプログラムが格納されたことを特徴とする記録媒体。
【発明の詳細な説明】
【技術分野】
【０００１】
ハードディスクレコーダー等の放送された画像を記憶する画像記憶装置から、商品に関連のある画像を検索し、商品情報等ともに再生する発明に関する。
【背景技術】
【０００２】
テレビ番組等で紹介されたり、使用されたりした商品は、大ヒット商品となる確率が高いため、放送された商品の内容についての情報を提供するシステムが提案されている。
【０００３】
しかしながら、このようなシステムの場合、情報を提供する装置の記憶容量に限界があり、提供する情報も限られてくるため、商品の放送画像まで提供することができなかった。
【０００４】
又、デジタル放送の開始によって、番組で紹介する商品の情報を番組と共に提供するための技術が多数提案されている。
【０００５】
しかしながら、番組で紹介する商品の情報を提供するためには、放送局側で放送する番組毎に商品情報のデータを作成しなければならず、手間とコストがかかっていた。
【発明の開示】
本発明の目的は、上記問題点を解決することにある。
【０００６】
また、本発明の目的は、放送側で、放送する画像に手を加えたり、新たに商品や画像を特定するようなデータを追加したりすることなく、商品が映っている放送された画像のみを検索して表示させるシステムを提供することにある。
【０００７】
上記目的を達成させる第１の発明は、所定の商品に関する複数の情報から成る商品情報と、前記商品が映っている放送画像を放送した放送局及び放送した放送時間を示す放送特定情報とが対応付けられているサーバーと通信回線を介して接続されている商品紹介装置であって、放送受信機が受信した放送画像と、この放送画像を放送した放送局及び放送した放送時間を示す放送情報とを関連付けて記憶する記憶部と、前記サーバーに検索画面送信要求を送信し、前記検索画面送信要求に応答して前記サーバーから送信された検索画面を用いてユーザが入力した商品情報を前記サーバーに送信し、前記送信した商品情報に対応付けられている放送特定情報と、前記送信した商品情報に対応付けられている、前記送信した商品情報以外の商品情報とを前記サーバーから受信する送受信手段と、前記受信した放送特定情報に合致する放送情報に関連付けられた放送画像を前記記憶部から読み出す読出手段と、前記読み出された放送画像と、前記受信した商品情報とを表示させる表示制御手段とを有することを特徴とする。
【０００８】
上記目的を達成させる第２の発明は、サーバーと画像記憶・検索装置とが通信回線を介して接続されている商品紹介システムであって、所定の商品に関する情報が複数示されている商品情報と、その商品が映っている放送画像を放送した放送局及び放送した放送時間を示す放送特定情報とが関連付けられて記憶されたデータベースと、前記画像記憶・検索装置から送信される検索画面送信要求に応じて検索画面を送信し、前記検索画面を用いてユーザが入力した商品情報を受信し、前記受信した商品情報に対応付けられている、前記受信した商品情報以外の商品情報と、前記受信した商品情報に関連付けられている放送特定情報とを前記データベースから検索して送信する送受信手段とを有するサーバーと、放送受信装置が受信した放送画像と、この放送画像を放送した放送局及び放送した放送時間を示す放送情報とを関連付けて記憶する記憶部と、前記検索画面送信要求を前記サーバーに送信し、この検索画面送信要求に応答して送信される検索画面を用いて前記ユーザが入力した商品情報を前記サーバーに送信し、前記送信した商品情報に対応付けられている、前記送信した商品情報以外の商品情報と、前記送信した商品情報に対応付けられている放送特定情報とを前記サーバーから受信する送受信手段と、前記受信した放送特定情報に合致する放送情報に関連付けられた放送画像を前記記憶部から読み出す読出手段と、前記読み出された放送画像と、前記受信した商品情報とを表示させる表示制御手段とを有する画像記憶・検索装置とを有することを特徴とする。
【０００９】
上記目的を達成させる第３の発明は、検索画面送信要求を送信し、この検索画面送信要求に応答して送信された検索画面を用いてユーザが入力した商品情報を送信し、前記送信した商品情報に対応付けられている放送特定情報と、前記送信した商品情報に対応付けられている、前記入力した商品情報以外の商品情報とを受信し、放送受信機が受信した放送画像と、この放送画像を放送した放送局及び放送した放送時間を示す放送情報とを関連付けて記憶した記憶部から放送画像を前記受信した放送特定情報に基づいて検索し、前記検索した放送画像と前記受信した商品情報とを表示する商品紹介装置と通信回線を介して接続しているサーバーであって、所定の商品に関する複数の情報から成る商品情報と、その商品が映っている放送画像を放送した放送局及び放送した放送時間を示す放送特定情報とが関連付けられて記憶されたデータベースと、前記商品紹介装置から送信される検索画面送信要求に応答して検索画面を送信し、前記検索画面を用いてユーザが入力した商品情報を受信し、この商品情報に関連付けられている放送特定情報と前記受信した商品情報に対応付けられている、前記受信した商品情報以外の商品情報とを前記データベースから検索して、検索した商品情報と放送特定情報とを前記通信回線を介して送信する送受信手段とを有することを特徴とする。
【００１０】
上記目的を達成させる第４の発明は、所定の商品に関する複数の情報から成る商品情報と、前記商品が映っている放送画像を放送した放送局及び放送した放送時間を示す放送特定情報とが対応付けられているサーバーと通信回線を介して接続されている商品紹介装置の商品紹介方法であって、前記サーバーに検索画面送信要求を送信する第１の送信ステップと、前記サーバーが前記検索画面送信要求に応答して送信した検索画面を受信する第１の受信ステップと、前記受信した検索画面を用いてユーザが入力した商品情報を送信する第２の送信ステップと、前記送信した商品情報に対応付けられている、前記送信した商品情報以外の商品情報と、前記送信した商品情報に対応付けられている放送特定情報とを前記サーバーから受信する第２の受信ステップと、放送受信装置が受信した放送画像と、この放送画像を放送した放送局及び放送した放送時間を示す放送情報とを関連付けて記憶している記憶部の中から、前記受信した放送特定情報に合致する放送情報に関連付けられた放送画像を読み出す読出ステップと、前記読み出された放送画像と、前記受信した商品情報とを表示させる表示ステップとを有することを特徴とする。
【００１１】
上記目的を達成させる第５の発明は、所定の商品に関する複数の情報から成る商品情報と、前記商品が映っている放送画像を放送した放送局及び放送した放送時間を示す放送特定情報とが対応付けられているサーバーと通信回線を介して接続されている商品紹介装置におけるプログラムであって、前記プログラムは前記商品紹介装置を、放送受信機が受信した放送画像と、この放送画像を放送した放送局及び放送した放送時間を示す放送情報とを関連付けて、記憶部に記憶する手段と、前記サーバーに検索画面送信要求を送信し、前記検索画面送信要求に応答して前記サーバーから送信された検索画面を用いてユーザが入力した商品情報を前記サーバーに送信し、前記送信した商品情報に対応付けられている放送特定情報と、前記送信した商品情報に対応付けられている、前記送信した商品情報以外の商品情報とを前記サーバーから受信する送受信手段と、前記受信した放送特定情報に合致する放送情報に関連付けられた放送画像を前記記憶部から読み出す読出手段と、前記読み出された放送画像と、前記受信した商品情報とを表示させる表示手段として機能させることを特徴とする。
【００１２】
上記目的を達成させる第６の発明は、検索画面送信要求を送信し、この検索画面送信要求に応答して送信された検索画面を用いてユーザが入力した商品情報を送信し、前記送信した商品情報に対応付けられている放送特定情報と、前記送信した商品情報に対応付けられている、前記入力した商品情報以外の商品情報とを受信し、放送受信機が受信した放送画像と、この放送画像を放送した放送局及び放送した放送時間を示す放送情報とを関連付けて記憶した記憶部から放送画像を前記受信した放送特定情報に基づいて検索し、前記検索した放送画像と前記受信した商品情報とを表示する商品紹介装置と通信回線を介して接続しているサーバーのプログラムであって、前記プログラムは前記サーバーを、前記商品紹介装置から送信される検索画面送信要求に応答して検索画面を送信し、前記検索画面を用いてユーザが入力した商品情報を受信し、この商品情報に関連付けられている放送特定情報と前記受信した商品情報に対応付けられている、前記受信した商品情報以外の商品情報とを、所定の商品に関する複数の情報から成る商品情報と、その商品が映っている放送画像を放送した放送局及び放送した放送時間を示す放送特定情報とが関連付けられて記憶されたデータベースから検索して、検索した商品情報と放送特定情報とを前記通信回線を介して送信する送受信手段として機能させることを特徴とする。
【００２１】
上記目的を達成させる第７の発明は、上記第５又は第６に記載のプログラムが格納されたことを特徴とする。
【図面の簡単な説明】
【００２２】
【図１】第１図は、第１から第３の実施例のシステムのブロック図である。
【図２】第２図は、商品紹介コンテンツサーバーのブロック図である。
【図３】第３図は、商品情報データの構成例である。
【図４】第４図は、放送特定データの構成例である。
【図５】第５図は、第1の実施例におけるハードディスクレコーダーのブロック図である。
【図６】第６図は、メタデータの構成例である。
【図７】第７図は、商品イメージ画像検索画面の例である。
【図８】第８図は、第1の実施例の動作を説明するためのフローチャートである。
【図９】第９図は、本発明における商品イメージ画像検索画面の例である。
【図１０】第１０図は、本発明における商品イメージ画像検索画面の例である。
【図１１】第１１図は、本発明における商品イメージ画像検索画面の例である。
【図１２】第１２図は、本発明におけるハードディスクレコーダーのブロック図である。
【図１３】第１３図は、第２の実施例の動作を説明するためのフローチャートである。
【図１４】第１４図は、第３の実施例におけるハードディスクレコーダーのブロック図である。
【図１５】第１５図は、第３の実施例における放送予約画面の例である。
【図１６】第１６図は、録画予約情報の例である。
【図１７】第１７図は、第３の実施例の動作を説明するためのフローチャートである。
【図１８】第１８図は、放送予約画面の例である。
【図１９】第１９図は、第４の実施例のシステムのブロック図である。
【図２０】第２０図は、第４の実施例の携帯端末のブロック図である。
【図２１】第２１図は、第４の実施例の携帯端末の画面例である。
【図２２】第２２図は、第４の実施例の携帯端末の画面例である。
【図２３】第２３図は、第４の実施例におけるハードディスクレコーダーのブロック図である。
【図２４】第２４図は、第４の実施例におけるハードディスクレコーダーの画面例である。
【図２５】第２５図は、第４の実施例の動作を説明するためのフローチャートである。
【発明を実施するための形態】
【００２３】
本発明の第一の実施例を説明する。
図１は、本発明の第一の実施例の概念図である。
【００２４】
図１中、１は放送局であり、２は受信機であり、３は商品紹介コンテンツサーバーであり、４はハードディスクレコーダーであり、５はディスプレイであり、６はインターネットである。以下、各部について説明する。
【００２５】
放送局１は、番組をアナログ放送するものである。
【００２６】
受信機２は、放送局１が放送した番組の画像を受信するものである。
【００２７】
次に、商品紹介コンテンツサーバー３について説明する。商品紹介コンテンツサーバー３は、例えば、インターネット上にある、Ｗｅｂコンテンツサーバーである。商品紹介コンテンツサーバー３は、ハードディスクレコーダー４に記憶されている放送画像の中から、所望する商品（検索対象）が映っている画像を検索するために必要な情報を提供するための装置である。
【００２８】
この商品紹介コンテンツサーバー３は、図２に示すように、コンテンツ情報が記憶された記憶部３１と、検索部３２と、送受信部３３とを有する。ここで、商品紹介コンテンツサーバー３の各部について説明する。
【００２９】
記憶部３１は、ユーザが所望する商品（検索対象）が映っている画像を検索するために必要な情報が記憶されている、商品情報データベース３１１、放送特定データのデータベース３１２及び画面データベース３１３等の各種データベースを有する。
【００３０】
商品情報データベース３１１は、検索対象である、商品、店舗、及び人物などに関する情報を管理するものであり、この商品情報データベース３１１が保持している情報は、ユーザが所望する商品（検索対象）を特定するために必要な情報である。この商品情報データ３１１は、図３に示すように、商品識別コード、商品名、画像、番組名、及び商品の放送時情報から１レコード構成される。
【００３１】
商品識別コードは、商品を一意に識別し、検索のキーコードとなる識別番号である。商品名は商品の名称である。画像は商品の画像である。番組名は商品が放送された番組の名称である。商品の放送時情報は、商品が映っている画像が放送された際の情報であり、例えば、商品が洋服である場合、放送された際にその商品を着ていた俳優の名前や商品のブランド名等の情報であり、商品が食品である場合、その商品を扱っている店舗名や住所等の情報等である。尚、本実施例では、商品情報データは、商品識別コード、商品名、画像、番組名、及び商品の放送時情報から１レコードを構成したが、これに限るものではなく、他の情報、例えば、商品を販売している店舗を紹介するＵＲＬ等の情報を追加するように構成しても良い。
【００３２】
放送特定データのデータベース３１２は、商品が映っている画像を特定するための情報を管理するものである。この放送特定データは、図４に示すように、商品識別コード、チャンネル識別コード、放送日時、及び放送時間長から１レコードが構成される。
【００３３】
商品識別コードは、上述した商品情報データ３１１の商品識別コードと同一のものである。チャンネル識別コードは、商品が映っている画像を放送した放送局やチャンネルを識別するためのものである。放送日時は、商品が映っている画像が放送された放送開始時刻である。時間長は、検索対象が映っている画像が放送された時間長である。例えば、商品コードが０００１のベッドが、４チャンネルで、２００３年８月８日１０時１５分００秒から２３秒間放送された場合、商品コードが０００１のベッドは図４に示すような形式で、放送特定データのデータベース３１２に格納される。尚、本実施例では、放送特定データの項目は、商品識別コード、チャンネル識別コード、放送日時、及び放送時間長を例にして説明するが、これに限るものではない。例えば、放送画像のタイムコードや、Ｇコード等の番組を特定する情報を組み合わせて商品が映っている画像を識別できるような情報であればよい。
【００３４】
尚、本実施例では、商品識別コードをキーコードとして、商品情報データベース３１１の商品関連の情報と、放送特定データベース３１２の商品が映っている画像を特定する情報とを互いに関連づける構成としたが、これに限るものではない。すなわち、商品識別コードとこの商品識別コードに対応する放送特定データが対応したデータベースであれば良く、二つのデータベースを一つにまとめて構成しても良い。
【００３５】
検索部３２は、ハードディスクレコーダー４から送信されてくる要求に基づいて、各種コンテンツ情報を検索する。例えば、ハードディスクレコーダー４から、商品コードが０００１の放送特定データの送信要求があった場合、商品コード０００１に基づいて、放送特定データを放送特定データのデータベース３１２から検索する。
【００３６】
送受信部３３は、ハードディスクレコーダー４から送信される要求を受信する。又、送受信部３３は、各種コンテンツ情報をハードディスクレコーダー４に送信する。
【００３７】
次に、ハードディスクレコーダー４について説明する。
【００３８】
ハードディスクレコーダー４は、商品紹介コンテンツサーバー３と、インターネット６を介して接続されている。又、ハードディスクレコーダー４は、図５に示すように、ハードディスク４１と、送受信部４２と、制御部４３とを有する。
【００３９】
ハードディスク４１は、基本的には従来から存在するものであり、放送局１が送信した画像の内、ユーザが選択した番組の画像を記憶し、その時に記憶画像情報として、図６に示すような画像を放送した放送局を識別するためのチャンネル識別番号や、画像が放送された時間を示す放送時間等が記述されているメタデータを記憶する。尚、本実施例では、メタデータとして、チャンネル識別コード、及び放送時間を例にして説明するが、これに限るものではない。すなわち、タイムコードなど放送画像を識別できる情報であればよい。
【００４０】
送受信部４２は、通信回線を介して、インターネット上にある商品紹介コンテンツサーバー３に、各種データの送信要求を送信する。又、送受信部４２は、通信回線を介して、インターネット上にある商品紹介コンテンツサーバー３から送信される、各種データを受信する。
【００４１】
制御部４３は、ハードディスクレコーダー４における各種動作を制御するものである。制御部４３は、画像検索部４３１と再生部４３２と画面表示制御部４３３とを有する。
【００４２】
画像検索部４３１は、従来からあるハードディスクレコーダーに新たに追加されたものであって、送受信部４２で受信された放送特定データに基づいて、ハードディスク４１に記憶されている画像の中から、放送特定データに書き込まれている条件に合う画像を検索する。
【００４３】
再生部４３２は、画像検索部４３１で検索された画像を再生する。
【００４４】
画面表示制御部４３３は、従来からあるハードディスクレコーダーに新たに追加されたものであって、商品紹介コンテンツサーバー３から受信した各種コンテンツ情報をディスプレイ５に表示させるものである。画面表示制御部４３３は、例えば図７に示すような、検索対象の放送画像を検索するための商品イメージ画像検索画面をディスプレイ５に表示させる。商品イメージ画像検索画面は、商品情報ウィンドウ２０１、商品イメージ画像ウィンドウ２０２、画像情報ウィンドウ２０３、及びサムネイル画面２０４等を有する。
【００４５】
商品情報ウィンドウ２０１には、商品紹介コンテンツサーバー３から得たコンテンツが表示される。
【００４６】
商品イメージ画像ウィンドウ２０２には、ハードディスクレコーダー４に記憶されている、検索対象の商品が映っている放送画像が表示される。
【００４７】
画像情報ウィンドウ２０３には、商品イメージ画像ウィンドウ２０２に表示されている画像が放送された日時、時刻、及び番組名等が表示される。
【００４８】
サムネイル画面２０４は、放送画像の検索の結果、ハードディスクレコーダー４に記憶されている放送画像が複数検索された場合、サムネイルとして表示させる画面である。
【００４９】
ディスプレイ５は、画面表示制御部４３３からの指示に基づいて各種画面を表示するものである。
【００５０】
次に、上述した構成のシステムにおける、画像を検索して再生する方法について説明する。尚、本実施例では、ハードディスクレコーダー４は、受信機２が受信した番組の中から、ユーザにより選択された番組の画像が記憶されているものとする。
【００５１】
図８は、本実施例の動作を示すフローチャートである。
【００５２】
ユーザは、まず、ハードディスクレコーダー４を用いて商品紹介コンテンツサーバー３にアクセスする（ステップＳ１０１）。この時、ハードディスクレコーダー４は送受信部４２を介して、商品紹介コンテンツサーバー３に画面要求を送信する（ステップＳ１０２）。
【００５３】
商品紹介コンテンツサーバー３の送受信部３３が画面要求を受信すると、検索部３２は画面要求に基づいて、商品イメージ画像検索画面を、送受信部３３を介してハードディスクレコーダー４に送信する（ステップＳ１０３）。
【００５４】
送受信部４２が商品イメージ画像検索画面を受信すると、画面表示制御部４３３は、図９に示すような、商品イメージ画像検索画面をディスプレイ５に表示させる（ステップＳ１０４）。ユーザは、商品イメージ画像検索画面で、好きなドラマで使用されている商品を知るために、まず、所望のドラマを検索する（ステップ１０５）。ここでは、商品情報データの番組名が“ドラマ＊＊＊”とする。
【００５５】
ユーザが商品イメージ画像検索画面で、番組名“ドラマ＊＊＊”に設定すると、ハードディスクレコーダー４は送受信部４２を用いて、商品紹介コンテンツサーバー３に、番組名“ドラマ＊＊＊”で使用されている商品情報データの送付要求を送信する（ステップ１０６）。
【００５６】
商品紹介コンテンツサーバー３の送受信部３３が商品情報データの番組名が“ドラマ＊＊＊”である商品情報データの送付要求を受信すると、検索部３２は商品情報データの送付要求に基づいて、番組名“ドラマ＊＊＊”に関連付けられている商品情報データ（商品識別コード、商品名、画像、及び商品の放送時情報等）を商品情報データベース３１１から検索する（ステップ１０７）。送受信部３３は、この検索結果をハードディスクレコーダー４に送信する（ステップ１０８）。
【００５７】
ハードディスクレコーダー４の送受信部４２が、商品紹介コンテンツサーバー３からの商品情報データを受信すると、図１０に示すように、画像表示部４３３は、受信したデータに基づいて、商品情報データの番組名が“ドラマ＊＊＊”であるベッドと帽子との商品情報を商品情報ウィンドウ２０１に表示させる。（ステップＳ１０９）。
【００５８】
ここで、ユーザがベッドを選択すると、ハードディスクレコーダー４は送受信部４２を用いて、商品紹介コンテンツサーバー３にベッドの商品識別コード（図４では０００１）に関連付けられている放送特定データの送信要求を送信する（ステップＳ１１０）。
【００５９】
送受信部３３が放送特定データ送信要求を受信すると、検索部３２はその中に書き込まれている商品識別コードに関連付けられた放送特定データ（ベッドの放送特定データ）を放送特定データデータベース３１２から検索する（ステップＳ１１１）。検索部３２がベッドの放送特定データを検索すると、送受信部３３はベッドの放送特定データをハードディスクレコーダー４に送信する（ステップＳ１１２）。ここでは、商品識別コード“０００１”に関連づけられた放送特定データは、チャンネル識別コード“４チャンネル”、放送日時“2003/08/08  10：15：00”及び放送時間長“２３”と、チャンネル識別コード“６チャンネル”、放送日時“2003/08/25  20：07：22”及び放送時間長“35”とであるので、これらの情報を送信する。
【００６０】
送受信部４２がベッドの放送特定データを受信すると、画像検索部４３１は、受信した放送特定データに基づいてハードディスク４１の中から、画像を検索する（ステップＳ１１３）。
【００６１】
検索の結果、ハードディスク４１にベッドの放送画像が記憶されている場合、その検索された放送画像は再生部４３２によって再生され、図1１に示すように、商品イメージ画像ウィンドウ２０２に商品イメージ画像として表示される（ステップＳ１１４）。
【００６２】
ここでは、受信した放送特定データは、チャンネル識別コード“４チャンネル”、放送日時“2003/08/08  10：15：00”及び放送時間長“２３”と、チャンネル識別コード“６チャンネル”、放送日時“2003/08/25  20：07：22”及び放送時間長“35”とである。しかしながら、記憶されているメタデータには、チャンネル識別コード“４チャンネル”、放送日時“2003/08/08  10：15：00”及び放送時間長“２３”に該当するものしかない。従って、ディスプレイ５上には、４チャンネルにより2003/08/08、10：15：00に放送されたドラマのシーンが２３秒表示される。
【００６３】
一方、検索の結果、ハードディスク４１にベッドの放送画像が記憶されていない場合、ディスプレイ５上に、ベッドの放送画像がハードディスク４１に記憶されていないことを表示させる（ステップＳ１１５）。
【００６４】
次に第２の実施例について説明する。
上述した実施例では、商品画像と放送特定データとを商品紹介コンテンツサーバー３から取り込んでいた。第２の実施例では、商品画像と放送特定データとを、ＣＤ又はＤＶＤ等の各種記録媒体から取り込む場合について説明する。尚、上述した実施例と同様の構成については、同一の番号を付して、詳細な説明は省略する。
【００６５】
図１２は、第２の実施例におけるハードディスクレコーダー４のブロック図である。
【００６６】
４４は、ディスクドライブである。ディスクドライブ４４は、ＣＤ又はＤＶＤ等の各種記録媒体に記録されている商品情報と放送特定データとを読み出すものである。
【００６７】
次に、本実施例における動作の説明をする。
【００６８】
図１３は、本実施例における動作を説明するためのフローチャートである。
【００６９】
ユーザは、所望する商品の放送画像を検索するために、図９に示すような、商品イメージ画像検索画面を表示させる（ステップＳ２０１）。ユーザは、商品イメージ画像検索画面で、好きなドラマで使用されている商品を知るために所望のドラマを検索する（ステップＳ２０２）。ここでは、商品情報データの番組名が“ドラマ＊＊＊”とする。
【００７０】
ユーザが商品イメージ画像検索画面で、番組名“ドラマ＊＊＊”に設定すると、ディスクドライブ４４は、番組名“ドラマ＊＊＊”に関連付けられている商品情報データ（商品識別コード、商品名、画像、及び商品の放送時情報等）を記録媒体から読み出す（ステップＳ２０３）。読み出された商品情報は、図１０に示すように、画像表示部４３３は、商品情報データの番組名が“ドラマ＊＊＊”であるベッドと帽子との商品情報を商品情報ウィンドウ２０１に表示させる（ステップＳ２０４）。
【００７１】
ここで、ユーザが、ベッドを選択すると、ディスクドライブ４４は、ベッドの商品識別コードに関連付けられた放送特定データを読み出す（ステップＳ２０５）。ここでは、商品識別コード“０００１”に関連づけられた放送特定データは、チャンネル識別コード“４チャンネル”、放送日時“2003/08/08  10：15：00”及び放送時間長“２３”と、チャンネル識別コード“６チャンネル”、放送日時“2003/08/25  20：07：22”及び放送時間長“35”とであるので、これらの情報を読み出す。
【００７２】
放送特定データが読み出されると、画像検索部４３１は、読み出された放送特定データに基づいてハードディスク４１の中から、画像を検索する（ステップＳ２０６）。  検索の結果、ハードディスク４１にベッドの放送画像が記憶されている場合、その検索された放送画像は再生部４３２によって再生され、図1１に示すように、商品イメージ画像ウィンドウ２０２に商品イメージ画像として表示される（ステップＳ２０７）。
【００７３】
ここでは、受信した放送特定データは、チャンネル識別コード“４チャンネル”、放送日時“2003/08/08  10：15：00”及び放送時間長“２３”と、チャンネル識別コード“６チャンネル”、放送日時“2003/08/25  20：07：22”及び放送時間長“35”とである。しかしながら、記憶されているメタデータには、チャンネル識別コード“４チャンネル”、放送日時“2003/08/08  10：15：00”及び放送時間長“２３”に該当するものしかない。従って、ディスプレイ５上には、４チャンネルにより2003/08/08、10：15：00に放送されたドラマのシーンが２３秒表示される。
【００７４】
一方、検索の結果、ハードディスク４１にベッドの放送画像が記憶されていない場合、ディスプレイ５上に、ベッドの放送画像がハードディスク４１に記憶されていないことを表示させる（ステップＳ２０８）。
【００７５】
尚、上述した第１及び第２の実施例では、商品画像と放送特定データとを、商品紹介コンテンツサーバー又は記録媒体から取り込んでいるが、これに限るものではない。すなわち、バーコードリーダー等、商品画像や放送特定データを読み込めるものであれば良い。又、キーボードなどの入力手段を用いて、放送特定データのみを手入力しても良い。
【００７６】
更に、上述した第１及び第２の実施例では、メタデータをハードディスクで作成する場合について説明したが、放送画像とメタデータとが関連付けられて一緒に送信される構成にしても良い。その場合、放送局１は放送画像とメタデータとを関連付けて送信し、ハードディスク４１は受信したメタデータと画像とをそのまま関連付けて記憶する。
【００７７】
更に、上述した第１及び第２の実施例では、放送画像の検索対象となる商品を検索して、検索された商品の商品情報を商品情報ウィンドウ２０１に表示させる構成について説明したが、商品の検索をせずに、全ての商品情報を商品情報ウィンドウ２０１に表示させる構成にしても良い。
【００７８】
次に第３の実施例について説明する。
上述した実施例では、放送済みである画像をハードディスクから検索する動作について説明した。本実施例では、放送特定データに放送予定のデータが入っていた場合に、そのデータに基づいて録画予約する方法ついて説明する。尚、同様の構成については、同一の番号を付して、詳細な説明は省略する。
【００７９】
図１４は、第３の実施例におけるハードディスクレコーダー４のブロック図である。
【００８０】
画面表示部４３３は、ディスプレイ５に各種画面を表示させるものである。例えば図１５に示すような、放送予約画面を表示させる。
【００８１】
ここで、放送予約画面について説明する。
【００８２】
放送予約画面は、放送予定情報ウィンドウ１５０１、及び録画設定ボタン１５０２等を有する。
【００８３】
放送予定情報ウィンドウには、放送特定データの内、放送予定の放送特定データのみが表示される。
【００８４】
録画予約設定ボタンは、放送予定情報ウィンドウに表示されている放送予定情報の画像を録画予約するためのボタンである。
【００８５】
ハードディスク４１は、放送局１が送信した画像の内、ユーザが任意に選択した番組の画像を、記憶画像情報である、チャンネル識別番号及びタイムコードを付して記憶する。更に、ハードディスク４１は録画予約情報を記憶する。この録画予約情報は、録画予約設定ボタンが押された際に、作成され、ハードディスク４１に記憶されるものである。又、録画予約情報は、図１６に示すように、予約番号、チャンネル識別番号、放送開始時間、及び放送時間長等からなる。尚、本実施例における録画予約情報の項目は、予約番号、チャンネル識別番号、放送開始時間、及び放送時間長を例にして説明するが、これに限るものではない。すなわち、録画する予定の番組を識別できる情報であればよい。
【００８６】
４３４は、判定部である。判定部４３４は、放送特定データの中に、放送予定のデータがあるかを判定するものである。
【００８７】
次に、本実施例における動作の説明をする。尚、ここでは、上述した第１及び第２の実施例で画像検索部４３１が画像を検索した結果、ハードディスク４１にベッドの放送画像が記憶されていなかった場合に、録画予約画面を表示させる場合について説明する。
【００８８】
図１７は、本実施例における動作を説明するためのフローチャートである。
【００８９】
画像検索部４３１がベッドの放送画像を検索した結果、ベッドの放送画像がハードディスク４１に記憶されていなかった場合、判定部４３４は、放送特定データの中に、放送予定のデータがあるかを判定する（ステップＳ３０１）。
【００９０】
判定部４３４が、放送予定のデータがあると判定した場合、画面表示制御部４３３は、図１８に示すような、放送予約画面を表示させる（ステップＳ３０２）。
【００９１】
ユーザは、放送予約画面を用いて、これから放送される予定の画像の録画予約を行う（ステップＳ３０３）。
【００９２】
ハードディスク４１は、ユーザによって設定された録画予約を録画予約情報として記憶する（ステップＳ３０４）。
【００９３】
尚、本実施例では、上述した第１及び第２の実施例で画像検索部４３１が画像を検索した結果、ハードディスク４１にベッドの放送画像が記憶されていなかった場合に、録画予約画面を表示させる場合について説明したが、これに限るものではない。すなわち、ハードディスクレコーダー４は、検索対象である商品の放送特定データの内、これから放送される予定の放送特定データのみを取り込み、録画予約する構成にしても良い。
【００９４】
次に第４の実施例について説明する。
上述した実施例では、ハードディスクレコーダー４に商品情報データと放送特定データとを取り込んで、画像を検索する構成について説明した。本実施例では、ハードディスクレコーダー以外の装置が商品情報データと放送特定データとを取り込み、この取り込んだ放送特定データをハードディスクレコーダー４に送信する構成について説明する。尚、上述した実施例と同様の構成については、同一の番号を付して、詳細な説明は省略する。
図１９は、本実施例の概念図である。
【００９５】
７は、携帯端末である。携帯端末７は、インターネット６を介して、商品紹介コンテンツサーバー３から、商品情報データと放送特定データとを取り込む。又、携帯端末７は、赤外線当を使用して、ハードディスクレコーダー４に受信した放送特定データを送信する。尚、本実施例では携帯端末としているが、これに限るものではない。すなわち、リモコンやＰＤＡ等であっても良い。
【００９６】
図２０は、携帯端末７のブロック図である。
携帯端末７は、送受信部７１と画面表示制御部７２とディスプレイ７３と赤外線送受信部７４とを有する。
【００９７】
送受信部７１は、通信回線を介して、インターネット上にある商品紹介コンテンツサーバー３に、各種データの送信要求を送信する。又、送受信部７１は、通信回線を介して、インターネット上にある商品紹介コンテンツサーバー３から送信される、各種データを受信する。
【００９８】
画面表示制御部７２は、図２１及び図２２に示すような、商品紹介コンテンツサーバー３から受信した各種コンテンツ情報をディスプレイ７３に表示させるものである。
【００９９】
ディスプレイ７３は、画面表示制御部７２からの指示に基づいて各種画面を表示する。
【０１００】
赤外線送受信部７４は、赤外線を用いて、ハードディスクレコーダー４とデータの送受信するためのものである。
【０１０１】
図２３は、ハードディスクレコーダー４のブロック図である。
【０１０２】
画面表示部４３３は、例えば図２４に示すような再生画面を表示させる。再生画面には第１及び第２の実施の形態同様、商品イメージ画像ウィンドウ２０２、画像情報ウィンドウ２０３、及びサムネイル画面２０４等を有する。
【０１０３】
４４は、赤外線送受信部である。赤外線送受信部４４は、赤外線を用いて、携帯端末７とデータの送受信するためのものである。
【０１０４】
図２５は、本実施例の動作を示すフローチャートである。
【０１０５】
ユーザは、まず、携帯端末７を用いて商品紹介コンテンツサーバー３にアクセスする（ステップＳ４０１）。この時、携帯端末７は送受信部７１を介して、商品紹介コンテンツサーバー３に画面要求を送信する（ステップＳ４０２）。
【０１０６】
商品紹介コンテンツサーバー３の送受信部３３が画面要求を受信すると、検索部３２は画面要求に基づいて、商品イメージ画像検索画面を、送受信部３３を介してハード携帯端末７に送信する（ステップＳ４０３）。
【０１０７】
携帯端末７の送受信部７１が商品イメージ画像検索画面を受信すると、画面表示制御部７２は、図２１に示すような、商品イメージ画像検索画面をディスプレイ７３に表示させる（ステップＳ４０４）。ユーザは、商品イメージ画像検索画面で、好きなドラマで使用されている商品を知るために、まず、所望のドラマを検索する（ステップ４０５）。ここでは、商品情報データの番組名が“ドラマ＊＊＊”とする。
【０１０８】
ユーザが商品イメージ画像検索画面で、番組名“ドラマ＊＊＊”に設定すると、携帯端末7は送受信部７１を用いて、商品紹介コンテンツサーバー３に、番組名“ドラマ＊＊＊”で使用されている商品情報データの送付要求を送信する（ステップ４０６）。
【０１０９】
商品紹介コンテンツサーバー３の送受信部３３が商品情報データの番組名が“ドラマ＊＊＊”である商品情報データの送付要求を受信すると、検索部３２は商品情報データの送付要求に基づいて、番組名“ドラマ＊＊＊”
に関連付けられている商品情報データ（商品識別コード、商品名、画像、及び商品の放送時情報等）を商品情報データベース３１１から検索する（ステップ４０７）。送受信部３３は、この検索結果を携帯端末７に送信する（ステップ４０８）。
【０１１０】
携帯端末７の送受信部７１が、商品紹介コンテンツサーバー３からの商品情報データを受信すると、画面表示制御部７２は、受信したデータに基づいて、図２２に示すような、商品情報データの番組名が“ドラマ＊＊＊”であるベッドと帽子との商品情報をディスプレイ７３に表示させる。（ステップＳ４０９）。
【０１１１】
ここで、ユーザがベッドを選択すると、携帯端末７は送受信部７１を用いて、商品紹介コンテンツサーバー３にベッドの商品識別コード“０００１”に関連付けられている放送特定データの送信要求を送信する（ステップＳ４１０）。
【０１１２】
送受信部３３が放送特定データ送信要求を受信すると、検索部３２はその中に書き込まれている商品識別コードに関連付けられた放送特定データ（ベッドの放送特定データ）を放送特定データのデータベース３１２から検索する（ステップＳ４１１）。検索部３２がベッドの放送特定データを検索すると、送受信部３３はベッドの放送特定データを携帯端末７に送信する（ステップＳ４１２）。ここでは、商品識別コード“０００１”に関連づけられた放送特定データは、チャンネル識別コード“４チャンネル”、放送日時“2003/08/08  10：15：00”及び放送時間長“２３”と、チャンネル識別コード“６チャンネル”、放送日時“2003/08/25  20：07：22”及び放送時間長“35”とであるので、これらの情報を送信する。
【０１１３】
送受信部７１がベッドの放送特定データを受信すると、画面表示制御部７２は受信した放送特定データをハードディスクレコーダーに４に送信するか否かをユーザに問う画面をディスプレイ７３に表示させる（ステップ４１３）。ここで、ユーザが放送特定データを送信すると選択すると、赤外線送受信部７４は、受信した放送特定データをハードディスクレコーダー４に送信する（ステップ４１４）。
【０１１４】
ハードディスクレコーダー４の赤外線送受信部４５が放送特定データを受信すると、画像検索部４３１は、受信した放送特定データに基づいてハードディスク４１の中から、画像を検索する（ステップＳ４１５）。
【０１１５】
検索の結果、ハードディスク４１にベッドの放送画像が記憶されている場合、その検索された放送画像は再生部４３２によって再生され、商品イメージ画像ウィンドウ２０２に商品イメージ画像として表示される（ステップＳ４１６）。
【０１１６】
ここでは、受信した放送特定データは、チャンネル識別コード“４チャンネル”、放送日時“2003/08/08  10：15：00”及び放送時間長“２３”と、チャンネル識別コード“６チャンネル”、放送日時“2003/08/25  20：07：22”及び放送時間長“35”とである。しかしながら、記憶されているメタデータには、チャンネル識別コード“４チャンネル”、放送日時“2003/08/08  10：15：00”及び放送時間長“２３”に該当するものしかない。従って、ディスプレイ５上には、４チャンネルにより2003/08/08、10：15：00に放送されたドラマのシーンが２３秒表示される。
【０１１７】
一方、検索の結果、ハードディスク４１にベッドの放送画像が記憶されていない場合、ディスプレイ７３に、ベッドの放送画像がハードディスク４１に記憶されていないことを表示させる（ステップＳ４１７）。
【０１１８】
尚、本実施例では、商品画像と放送特定データとを、商品紹介コンテンツサーバーから取り込んでいるが、これに限るものではない。すなわち、記録媒体やバーコードリーダー等、商品画像や放送特定データを読み込めるものであれば良い。
【０１１９】
尚、上述した第１から第４の実施例では、アナログ放送の場合について説明したが、デジタル放送であっても良い。又、データ放送であっても良い。その場合、商品情報と放送特定データとは、放送局１から送信する構成にしてもよい。
【０１２０】
更に、本発明は、商品情報と放送画像とを連動させることが目的であるため、詳細な説明を省略するが、例えばｅコマース等を利用して、連続して商取引ができるような構成にしても良い。
【図１】
0004424679.tif 000002
【図７】
0004424679.tif 000003
【図２】
0004424679.tif 000004
【図３】
0004424679.tif 000005
【図４】
0004424679.tif 000006
【図６】
0004424679.tif 000007
【図５】
0004424679.tif 000008
【図８】
0004424679.tif 000009
【図９】
0004424679.tif 000010
【図１０】
0004424679.tif 000011
【図１１】
0004424679.tif 000012
【図１２】
0004424679.tif 000013
【図１３】
0004424679.tif 000014
【図１４】
0004424679.tif 000015
【図１５】
0004424679.tif 000016
【図１６】
0004424679.tif 000017
【図１７】
0004424679.tif 000018
【図１８】
0004424679.tif 000019
【図１９】
0004424679.tif 000020
【図２０】
0004424679.tif 000021
【図２４】
0004424679.tif 000022
【図２１】
0004424679.tif 000023
【図２２】
0004424679.tif 000024
【図２３】
0004424679.tif 000025
【図２５】
0004424679.tif 000026